(57)【特許請求の範囲】
【請求項１】
光ビームの露光により画像が形成される像担持体と、
画像データに応じて発光する前記光ビームを生成する光源と、
回転駆動源により回転駆動される回転多面鏡の複数の反射面により前記像担持体において前記光ビームを主走査方向に走査する光走査手段と、
前記回転多面鏡の各反射面を識別する反射面識別部と、
前記主走査方向と直交する副走査方向に前記像担持体と前記光ビームとを相対的に移動させる副走査方向駆動手段と、
前記回転多面鏡の反射面毎の主走査方向のドット位置ずれ量が記憶された記憶部と、
を複数色毎に備え、前記露光を複数色で行うことで複数色の画像を形成する画像形成装置であって、
前記記憶部から読み出した前記ドット位置ずれ量を参照し、複数色の前記回転多面鏡の面位相をずらした組合せにおいて、複数色間でのドット位置ずれ量である面間ドット位置ずれ量の二乗和を算出し、該面間ドット位置ずれ量の二乗和が最小となる前記面位相を保つように複数色の前記回転多面鏡を駆動制御する制御部を備える、
ことを特徴とする画像形成装置。
【請求項２】
複数の反射面を備える回転多面鏡と、
前記回転多面鏡の反射面に照射するための光ビームを生成する光源と、
前記光ビームの露光により画像形成される像担持体と、
前記像担持体上に対して、前記光ビームを主走査方向に走査するために前記回転多面鏡を回転させる回転駆動源と、
前記回転多面鏡の反射面毎の主走査方向のドット位置ずれ量が記憶された記憶部と、
を複数色毎に備え、前記露光を複数色で行うことで複数色の画像を形成する画像形成装置であって、
複数色の前記回転多面鏡の内、一の回転多面鏡における前記複数の反射面に対応する第１のドット位置ずれ量と、前記一の回転多面鏡以外の他の回転多面鏡における前記複数の反射面に対応する第２のドット位置ずれ量とを前記記憶部から読み出して、
前記一の回転多面鏡と前記他の回転多面鏡との間の面位相のそれぞれについて、当該面位相における前記一の回転多面鏡と前記他の回転多面鏡との間に生じる面間ドット位置ずれ量の総和を、読み出した前記第１のドット位置ずれ量と第２のドット位置ずれ量とに基づいて計算し、前記面間ドット位置ずれ量の大きさの総和が、他の面位相よりも小さい所定の面位相で前記一の回転多面鏡と前記他の回転多面鏡を駆動する制御部を備える、
ことを特徴とする画像形成装置。
【請求項３】
前記制御部は、前記第１のドット位置ずれ量と前記第２のドット位置ずれ量との間に生じる複数の面間ドット位置ずれ量の大きさの総和を算出するとき、二乗和を用いて算出する、
ことを特徴とする請求項２に記載の画像形成装置。
【請求項４】
前記制御部は、前記記憶部に記憶された情報が更新されたことを検知した場合に前記面間ドット位置ずれ量を算出する、
ことを特徴とする請求項１−３のいずれか一項に記載の画像形成装置。
【請求項５】
光ビームの露光により画像が形成される像担持体と、
画像データに応じて発光する前記光ビームを生成する光源と、
回転駆動源により回転駆動される回転多面鏡の複数の反射面により前記像担持体において前記光ビームを主走査方向に走査する光走査手段と、
前記回転多面鏡の各反射面を識別する反射面識別部と、
前記主走査方向と直交する副走査方向に前記像担持体と前記光ビームとを相対的に移動させる副走査方向駆動手段と、
前記回転多面鏡の反射面毎の主走査方向のドット位置ずれ量が記憶された記憶部と、
を複数色毎に備え、
複数色の前記回転多面鏡を所定の面位相で駆動制御する制御部を備え、
前記露光を複数色で行うことで複数色の画像を形成する画像形成装置を制御する画像形成制御方法であって、
前記制御部は、前記記憶部から読み出した前記ドット位置ずれ量を参照し、複数色の前記回転多面鏡の面位相をずらした組合せにおいて、複数色間でのドット位置ずれ量である面間ドット位置ずれ量の二乗和を算出し、該面間ドット位置ずれ量の二乗和が最小となる前記面位相を保つように複数色の前記回転多面鏡を駆動制御する、
ことを特徴とする画像形成装置制御方法。
【請求項６】
複数の反射面を備える回転多面鏡と、
前記回転多面鏡の反射面に照射するための光ビームを生成する光源と、
前記光ビームの露光により画像形成される像担持体と、
前記像担持体上に対して、前記光ビームを主走査方向に走査するために前記回転多面鏡を回転させる回転駆動源と、
前記回転多面鏡の反射面毎の主走査方向のドット位置ずれ量が記憶された記憶部と、
を複数色毎に備え、前記露光を複数色で行うことで複数色の画像を形成する画像形成装置制御方法であって、
複数色の前記回転多面鏡の内、一の回転多面鏡における前記複数の反射面に対応する第１のドット位置ずれ量と、前記一の回転多面鏡以外の他の回転多面鏡における前記複数の反射面に対応する第２のドット位置ずれ量とを前記記憶部から読み出して、
前記一の回転多面鏡と前記他の回転多面鏡との間の面位相のそれぞれについて、当該面位相における前記一の回転多面鏡と前記他の回転多面鏡との間に生じる面間ドット位置ずれ量の総和を、読み出した前記第１のドット位置ずれ量と第２のドット位置ずれ量とに基づいて計算し、前記面間ドット位置ずれ量の大きさの総和が、他の面位相よりも小さい所定の面位相で前記一の回転多面鏡と前記他の回転多面鏡を駆動する、
ことを特徴とする画像形成装置制御方法。
【請求項７】
前記第１のドット位置ずれ量と前記第２のドット位置ずれ量との間に生じる複数の面間ドット位置ずれ量の大きさの総和を算出するとき、二乗和を用いて算出する、
ことを特徴とする請求項６に記載の画像形成装置制御方法。
【請求項８】
前記記憶部に記憶された情報が更新されたことを検知した場合に前記面間ドット位置ずれ量を算出する、
ことを特徴とする請求項５−７のいずれか一項に記載の画像形成装置制御方法。
【請求項９】
光ビームの露光により画像が形成される像担持体と、
画像データに応じて発光する前記光ビームを生成する光源と、
回転駆動源により回転駆動される回転多面鏡の複数の反射面により前記像担持体において前記光ビームを主走査方向に走査する光走査手段と、
前記回転多面鏡の各反射面を識別する反射面識別部と、
前記主走査方向と直交する副走査方向に前記像担持体と前記光ビームとを相対的に移動させる副走査方向駆動手段と、
前記回転多面鏡の反射面毎の主走査方向のドット位置ずれ量が記憶された記憶部と、
を複数色毎に備え、前記露光を複数色で行うことで複数色の画像を形成する画像形成装置を制御する制御プログラムであって、
前記記憶部から読み出した前記ドット位置ずれ量を参照し、複数色の前記回転多面鏡の面位相をずらした組合せにおいて、複数色間でのドット位置ずれ量である面間ドット位置ずれ量の二乗和を算出し、該面間ドット位置ずれ量の二乗和が最小となる前記面位相を保つように複数色の前記回転多面鏡を駆動制御することを、前記画像形成装置に実行させることを特徴とする制御プログラム。
【請求項１０】
複数の反射面を備える回転多面鏡と、
前記回転多面鏡の反射面に照射するための光ビームを生成する光源と、
前記光ビームの露光により画像形成される像担持体と、
前記像担持体上に対して、前記光ビームを主走査方向に走査するために前記回転多面鏡を回転させる回転駆動源と、
前記回転多面鏡の反射面毎の主走査方向のドット位置ずれ量が記憶された記憶部と、
を複数色毎に備え、前記露光を複数色で行うことで複数色の画像を形成する画像形成装置を制御する制御プログラムであって、
複数色の前記回転多面鏡の内、一の回転多面鏡における前記複数の反射面に対応する第１のドット位置ずれ量と、前記一の回転多面鏡以外の他の回転多面鏡における前記複数の反射面に対応する第２のドット位置ずれ量とを前記記憶部から読み出して、
前記一の回転多面鏡と前記他の回転多面鏡との間の面位相のそれぞれについて、当該面位相における前記一の回転多面鏡と前記他の回転多面鏡との間に生じる面間ドット位置ずれ量の総和を、読み出した前記第１のドット位置ずれ量と第２のドット位置ずれ量とに基づいて計算し、前記面間ドット位置ずれ量の大きさの総和が、他の面位相よりも小さい所定の面位相で前記一の回転多面鏡と前記他の回転多面鏡を駆動することを、前記画像形成装置に実行させることを特徴とする制御プログラム。
【請求項１１】
前記第１のドット位置ずれ量と前記第２のドット位置ずれ量との間に生じる複数の面間ドット位置ずれ量の大きさの総和を算出するとき、二乗和を用いて算出することを実行させることを特徴とする請求項１０に記載の制御プログラム。
【請求項１２】
前記記憶部に記憶された情報が更新されたことを検知した場合に前記面間ドット位置ずれ量を算出することを実行させることを特徴とする請求項９−１１のいずれか一項に記載の制御プログラム。
【発明の詳細な説明】
【技術分野】
【０００１】
本発明は、回転駆動源と回転多面鏡からなる光走査手段を用いてレーザビームを走査する複写機やプリンタなどの画像形成装置及び画像形成装置制御方法並びに制御プログラムに関する。
【背景技術】
【０００２】
画像形成装置として、画像データに応じた光ビームで主走査方向の１ラインの画像形成を行うと共に、主走査方向の１ライン毎の光ビームの画像形成を副走査方向に繰り返して１頁分の画像形成を行うものが知られている。
【０００３】
その一例として、電子写真方式の画像形成装置では、回転駆動源（ポリゴンモータ）と回転多面鏡（ポリゴンミラー）からなる光走査手段を用いて、画像データに応じて発光させたレーザビームを主走査方向に走査し、これと並行して、副走査方向に回転する像担持体（感光体ドラム）上に、前記レーザビームによって画像を形成している。この場合に、ドットクロックと呼ばれるクロック信号（書き込みクロック）を基準にして、レーザビームを画像データに応じて発光させるようにしている。
【０００４】
このような画像形成装置で高画質を実現するためには、レーザビームの主走査方向開始位置と主走査方向終了位置とを揃える、すなわち、各レーザビーム間で主走査長を統一し、主走査方向ずれを解消することが重要となる。
【０００５】
なお、このような主走査方向ずれは、モータの１回転や１／２回転などを周期とする回転むら、ポリゴンミラーの各面の平面度の違いなどによって発生する。そして、この主走査方向ずれが僅かであったとしても、横すじとして視認されたり、縦線の揺らぎとして視認され、画質の劣化の原因となる。
【０００６】
また、６面のポリゴンミラーを使用した場合には、図２４に示すような主走査方向ずれになる。図２４の横方向が主走査方向であり、右側が主走査方向終端になる。この場合には、主走査方向末端で縦線の揺らぎとして観察されやすくなる。
【０００７】
そして、複数色の画像を重ねるカラー画像形成装置の場合に主走査方向ずれが各色で別々な特性であると、図２５のように、主走査方向末端部で同一画素のドット同士の粗密となって現れるため、色ずれとして視認されやすい状態になる問題がある。
【０００８】
なお、このような問題を解消可能な技術として、たとえば、以下の特許文献に各種の解決手法が記載されている。
【先行技術文献】
【特許文献】
【０００９】
【特許文献１】特開２００３−１４００６８号公報
【特許文献２】特開２００２−２６７９６１号公報
【発明の概要】
【発明が解決しようとする課題】
【００１０】
この特許文献１では、ポリゴンミラーの面毎の補正用ドットクロック変調周波数を不揮発性メモリに持たせ、ポリゴンミラーの面毎にドットクロック周波数を変えて主走査長を一定にするように制御している。
【００１１】
この場合、ポリゴンミラー、あるいは、ポリゴンミラーを有するプリントヘッドを交換した場合には対処することができない問題があった。
【００１２】
また、以上の特許文献２では、主走査方向の開始位置側のＳＯＳ（Start Of Scan）信号と主走査方向の終了位置側のＥＯＳ（End Of Scan）信号とにより、ドットクロックを調整して主走査長を一定にするように制御している。
【００１３】
この場合、既存のＳＯＳセンサに加え、主走査方向の終了位置側でＥＯＳ（End Of Scan）信号を得るためのＥＯＳセンサを新たに追加しなくてはならないという問題があった。
【００１４】
また、以上の特許文献１と特許文献２ともに、ポリゴンミラーの面毎にドットクロックを画像形成中において常時細かく変更する必要があり、ドットクロック変調回路の追加と制御回路プログラムの追加が必要になる。
【００１５】
本発明は、上記の課題を解決するためになされたものであって、回転駆動源としてのポリゴンモータと回転多面鏡としてのポリゴンミラーからなる光走査手段を用いてカラー画像形成する際における色ずれを解消可能な画像形成装置及び画像形成装置制御方法並びに制御プログラムを実現することを目的とする。
【課題を解決するための手段】
【００１６】
すなわち、課題を解決する手段としての本発明は以下に説明するようなものである。
【００１７】
（１）請求項１記載の発明は、光ビームの露光により画像が形成される像担持体と、画像データに応じて発光する前記光ビームを生成する光源と、回転駆動源により回転駆動される回転多面鏡の複数の反射面により前記像担持体において前記光ビームを主走査方向に走査する光走査手段と、前記回転多面鏡の各反射面を識別する反射面識別部と、前記主走査方向と直交する副走査方向に前記像担持体と前記光ビームとを相対的に移動させる副走査方向駆動手段と、前記回転多面鏡の反射面毎の主走査方向のドット位置ずれ量が記憶された記憶部と、を複数色毎に備え、前記露光を複数色で行うことで複数色の画像を形成する画像形成装置であって、前記記憶部から読み出した前記ドット位置ずれ量を参照し、複数色の前記回転多面鏡の面位相をずらした組合せにおいて、複数色間でのドット位置ずれ量である面間ドット位置ずれ量の二乗和を算出し、該面間ドット位置ずれ量の二乗和が最小となる前記面位相を保つように複数色の前記回転多面鏡を駆動制御する制御部を備える、ことを特徴とする。
（２）請求項２記載の発明は、複数の反射面を備える回転多面鏡と、前記回転多面鏡の反射面に照射するための光ビームを生成する光源と、前記光ビームの露光により画像形成される像担持体と、前記像担持体上に対して、前記光ビームを主走査方向に走査するために前記回転多面鏡を回転させる回転駆動源と、前記回転多面鏡の反射面毎の主走査方向のドット位置ずれ量が記憶された記憶部と、を複数色毎に備え、前記露光を複数色で行うことで複数色の画像を形成する画像形成装置であって、複数色の前記回転多面鏡の内、一の回転多面鏡における前記複数の反射面に対応する第１のドット位置ずれ量と、前記一の回転多面鏡以外の他の回転多面鏡における前記複数の反射面に対応する第２のドット位置ずれ量とを前記記憶部から読み出して、前記一の回転多面鏡と前記他の回転多面鏡との間の面位相のそれぞれについて、当該面位相における前記一の回転多面鏡と前記他の回転多面鏡との間に生じる面間ドット位置ずれ量の総和を、読み出した前記第１のドット位置ずれ量と第２のドット位置ずれ量とに基づいて計算し、前記面間ドット位置ずれ量の大きさの総和が、他の面位相よりも小さい所定の面位相で前記一の回転多面鏡と前記他の回転多面鏡を駆動する制御部を備える、ことを特徴とする。
【００１８】
（３）請求項３記載の発明は、上記（２）において、前記制御部は、前記第１のドット位置ずれ量と前記第２のドット位置ずれ量との間に生じる複数の面間ドット位置ずれ量の大きさの総和を算出するとき、二乗和を用いて算出することを特徴とする。
【００１９】
（４）請求項４の発明は、上記（１）〜（３）において、前記制御部は、前記記憶部に記憶された情報が更新されたことを検知した場合に前記面間ドット位置ずれ量を算出する、ことを特徴とする。
【００２０】
（５）請求項５記載の発明は、光ビームの露光により画像が形成される像担持体と、画像データに応じて発光する前記光ビームを生成する光源と、回転駆動源により回転駆動される回転多面鏡の複数の反射面により前記像担持体において前記光ビームを主走査方向に走査する光走査手段と、前記回転多面鏡の各反射面を識別する反射面識別部と、前記主走査方向と直交する副走査方向に前記像担持体と前記光ビームとを相対的に移動させる副走査方向駆動手段と、前記回転多面鏡の反射面毎の主走査方向のドット位置ずれ量が記憶された記憶部と、を複数色毎に備え、複数色の前記回転多面鏡を所定の面位相で駆動制御する制御部を備え、前記露光を複数色で行うことで複数色の画像を形成する画像形成装置を制御する画像形成制御方法であって、前記制御部は、前記記憶部から読み出した前記ドット位置ずれ量を参照し、複数色の前記回転多面鏡の面位相をずらした組合せにおいて、複数色間でのドット位置ずれ量である面間ドット位置ずれ量の二乗和を算出し、該面間ドット位置ずれ量の二乗和が最小となる前記面位相を保つように複数色の前記回転多面鏡を駆動制御する、ことを特徴とする。
（６）請求項６記載の発明は、複数の反射面を備える回転多面鏡と、前記回転多面鏡の反射面に照射するための光ビームを生成する光源と、前記光ビームの露光により画像形成される像担持体と、前記像担持体上に対して、前記光ビームを主走査方向に走査するために前記回転多面鏡を回転させる回転駆動源と、前記回転多面鏡の反射面毎の主走査方向のドット位置ずれ量が記憶された記憶部と、を複数色毎に備え、前記露光を複数色で行うことで複数色の画像を形成する画像形成装置制御方法であって、複数色の前記回転多面鏡の内、一の回転多面鏡における前記複数の反射面に対応する第１のドット位置ずれ量と、前記一の回転多面鏡以外の他の回転多面鏡における前記複数の反射面に対応する第２のドット位置ずれ量とを前記記憶部から読み出して、前記一の回転多面鏡と前記他の回転多面鏡との間の面位相のそれぞれについて、当該面位相における前記一の回転多面鏡と前記他の回転多面鏡との間に生じる面間ドット位置ずれ量の総和を、読み出した前記第１のドット位置ずれ量と第２のドット位置ずれ量とに基づいて計算し、前記面間ドット位置ずれ量の大きさの総和が、他の面位相よりも小さい所定の面位相で前記一の回転多面鏡と前記他の回転多面鏡を駆動する、ことを特徴とする。
【００２１】
（７）請求項７記載の発明は、上記（６）において、前記第１のドット位置ずれ量と前記第２のドット位置ずれ量との間に生じる複数の面間ドット位置ずれ量の大きさの総和を算出するとき、二乗和を用いて算出することを特徴とする。
【００２２】
（８）請求項８記載の発明は、上記（５）〜（７）において、前記記憶部に記憶された情報が更新されたことを検知した場合に前記面間ドット位置ずれ量を算出する、ことを特徴とする。
（９）請求項９記載の発明は、光ビームの露光により画像が形成される像担持体と、画像データに応じて発光する前記光ビームを生成する光源と、回転駆動源により回転駆動される回転多面鏡の複数の反射面により前記像担持体において前記光ビームを主走査方向に走査する光走査手段と、前記回転多面鏡の各反射面を識別する反射面識別部と、前記主走査方向と、直交する副走査方向に前記像担持体と前記光ビームとを相対的に移動させる副走査方向駆動手段と、前記回転多面鏡の反射面毎の主走査方向のドット位置ずれ量が記憶された記憶部と、を複数色毎に備え、前記露光を複数色で行うことで複数色の画像を形成する画像形成装置の制御プログラムであって、前記記憶部から読み出した前記ドット位置ずれ量を参照し、複数色の前記回転多面鏡の面位相をずらした組合せにおいて、複数色間でのドット位置ずれ量である面間ドット位置ずれ量の二乗和を算出し、該面間ドット位置ずれ量の二乗和が最小となる前記面位相を保つように複数色の前記回転多面鏡を駆動制御することを、前記画像形成装置に実行させることを特徴とする。
（１０）請求項１０記載の発明は、複数の反射面を備える回転多面鏡と、前記回転多面鏡の反射面に照射するための光ビームを生成する光源と、前記光ビームの露光により画像形成される像担持体と、前記像担持体上に対して、前記光ビームを主走査方向に走査するために前記回転多面鏡を回転させる回転駆動源と、前記回転多面鏡の反射面毎の主走査方向のドット位置ずれ量が記憶された記憶部と、を複数色毎に備え、前記露光を複数色で行うことで複数色の画像を形成する画像形成装置の制御プログラムであって、複数色の前記回転多面鏡の内、一の回転多面鏡における前記複数の反射面に対応する第１のドット位置ずれ量と、前記一の回転多面鏡以外の他の回転多面鏡における前記複数の反射面に対応する第２のドット位置ずれ量とを前記記憶部から読み出して、前記一の回転多面鏡と前記他の回転多面鏡との間の面位相のそれぞれについて、当該面位相における前記一の回転多面鏡と前記他の回転多面鏡との間に生じる面間ドット位置ずれ量の総和を、読み出した前記第１のドット位置ずれ量と第２のドット位置ずれ量とに基づいて計算し、前記面間ドット位置ずれ量の大きさの総和が、他の面位相よりも小さい所定の面位相で前記一の回転多面鏡と前記他の回転多面鏡を駆動することを、前記画像形成装置に実行させることを特徴とする。
（１１）請求項１１記載の発明は、上記（１０）において、前記第１のドット位置ずれ量と前記第２のドット位置ずれ量との間に生じる複数の面間ドット位置ずれ量の大きさの総和を算出するとき、二乗和を用いて算出することを実行させることを特徴とする。
（１２）請求項１２記載の発明は、上記（９）−（１１）において、前記記憶部に記憶された情報が更新されたことを検知した場合に前記面間ドット位置ずれ量を算出することを実行させることを特徴とする。
【発明の効果】
【００２３】
以上説明した本発明によれば、以下のような効果が得られる。
【００２４】
この発明では、露光を複数色で行うことで複数色の画像を形成する画像形成装置において、回転多面鏡の反射面毎の主走査方向のドット位置ずれ量を予め記憶部に記憶しておき、記憶部から読み出した各回転多面鏡のドット位置ずれ量を参照し、複数色の回転多面鏡の面位相をずらした組合せにおいて、複数色間でのドット位置ずれ量である面間ドット位置ずれ量を算出し、該面間ドット位置ずれ量が最小となる面位相を保つように複数色の回転多面鏡を駆動制御する。
【００２５】
これにより、面間ドット位置ずれ量が最小となる面位相を保つように複数色の回転多面鏡が駆動制御されて画像形成が行われるようになり、ドットクロック調整回路やＥＯＳセンサを設ける必要が無く、カラー画像形成する際における色ずれを有効に解消することができる。
【００２６】
また、回転多面鏡の反射面毎の主走査方向のドット位置ずれ量を予め記憶部に記憶しておくことで、回転多面鏡、あるいは、回転多面鏡を有するプリントヘッドを交換した場合であっても、記憶部から読み出した各回転多面鏡のドット位置ずれ量を参照し、複数色の回転多面鏡の面位相をずらした組合せにおいて、複数色間でのドット位置ずれ量である面間ドット位置ずれ量を算出し、該面間ドット位置ずれ量が最小となる面位相を保つように複数色の回転多面鏡を駆動制御することが可能になる。
【図面の簡単な説明】
【００２７】
【図１】本発明の一実施形態の画像形成装置の構成を示すブロック図である。
【図２】本発明の一実施形態の画像形成装置の構成を示すブロック図である。
【図３】本発明の一実施形態の画像形成装置の構成を示すブロック図である。
【図４】本発明の一実施形態の画像形成装置の主要部の構成を示す説明図である。
【図５】本発明の一実施形態の測定装置の構成を示すブロック図である。
【図６】本発明の一実施形態の光走査手段を測定する際の手順を示すフローチャートである。
【図７】本発明の一実施形態の光走査手段を測定する際の動作を示すタイムチャートである。
【図８】本発明の一実施形態の光走査手段を測定する際の動作を示すタイムチャートである。
【図９】本発明の一実施形態の画像形成装置の動作を示す説明図である。
【図１０】本発明の一実施形態の画像形成装置の動作を示す説明図である。
【図１１】本発明の一実施形態の画像形成装置の動作を示す説明図である。
【図１２】本発明の一実施形態の画像形成装置の動作を示す説明図である。
【図１３】本発明の一実施形態の画像形成装置の動作を示す説明図である。
【図１４】本発明の一実施形態の画像形成装置の動作を示すフローチャートである。
【図１５】本発明の一実施形態の画像形成装置の動作を示すフローチャートである。
【図１６】本発明の一実施形態の画像形成装置の動作を示す説明図である。
【図１７】本発明の一実施形態の画像形成装置の動作を示す説明図である。
【図１８】本発明の一実施形態の画像形成装置の動作を示す説明図である。
【図１９】本発明の一実施形態の画像形成装置の動作を示す説明図である。
【図２０】本発明の一実施形態の画像形成装置の動作を示す説明図である。
【図２１】本発明の一実施形態の画像形成装置の動作を示す説明図である。
【図２２】本発明の一実施形態の画像形成装置の動作を示す説明図である。
【図２３】本発明の一実施形態の画像形成装置の動作を示す説明図である。
【図２４】主走査方向ずれ（単色時）の様子を示す説明図である。
【図２５】主走査方向ずれ（複数色時）の様子を示す説明図である。
【発明を実施するための形態】
【００２８】
以下、図面を参照して本発明を実施するための形態（実施形態）を詳細に説明する。
【００２９】
本実施形態が適用される画像形成装置は、画像データに応じて発光させた光ビームを像担持体の主走査方向に走査すると共に、主走査方向と直交する副走査方向に像担持体と光ビームとを相対的に移動させるよう駆動することで像担持体面に露光を行って画像形成する画像形成装置である。また、本実施形態が適用される光走査手段は、回転駆動源（ポリゴンモータ）と回転多面鏡（ポリゴンミラー）からなる光走査手段であって、画像形成装置での光ビームの走査に用いられるものである。
【００３０】
〔画像形成装置の構成〕
以下、画像形成装置の構成について概略を説明する。
【００３１】
本実施形態の画像形成装置１００の実施形態の電気的な構成を、図１に基づいて詳細に説明する。ここでは、後述する測定装置２００と関連のある状態で、画像形成装置１００を単色画像形成の状態で説明する。なお、この実施形態では、実施形態の説明に必要な構成要件を中心に説明する。したがって、画像形成装置として一般的であり、周知となっている構成要件については省略している。
【００３２】
制御部１０１は、画像形成装置１００の各部を制御するためにＣＰＵや制御プログラムなどで構成されており、通常の画像形成動作に加え、各ポリゴンミラー１２１のドット位置ずれ量を参照して、複数色のポリゴンミラー１２１の面位相をずらした組合せにおいて、複数色間でのドット位置ずれ量である面間ドット位置ずれ量を算出し、該面間ドット位置ずれ量が最小となる面位相を保つように複数色のポリゴンミラー１２１を駆動制御するよう制御する。
【００３３】
レーザダイオード（ＬＤ）１１０は、感光体上を走査しつつ露光を行うレーザビーム（光ビーム）を生成する光源である。なお、このレーザダイオード１１０からのレーザビームは単数ビームであってもよいし、複数ビームであってもよい。
【００３４】
光走査手段１２０は、回転多面鏡としてのポリゴンミラー１２１と回転駆動源としてのポリゴンモータ１２２とにより構成されている。ここで、ポリゴンミラー１２１は回転する複数の反射面により感光体面上にレーザビームを主走査方向に走査する回転多面鏡である。ポリゴンモータ１２２はポリゴン駆動信号を受けてポリゴンミラー１２１を所定回転数で回転させる回転駆動源である。
【００３５】
面検知センサ１２５は、図４に示すようにして、ポリゴンミラー１２１に付された基準マーク１２０ｄを検知し、反射面識別のための面検知信号を生成して反射面識別部１０３に伝達する。
【００３６】
光学系１３０は、レーザダイオード１１０から照射されてポリゴンミラー１２１で反射されたレーザビームに関して、感光体面上で所定の主走査速度となるように光学的な処理を行うためのシリンドリカルレンズ１３０ａやｆ−θレンズ１３０ｂなどの各種光学部材である。
【００３７】
始端側の光検出部１４５は、感光体１６０上の主走査位置の延長線上の主走査始端側において、光ビームを検出してＳＯＳ（Start Of Scan）信号を得るためのＳＯＳセンサであり、検出結果は制御部１０１内の光走査駆動制御部１０１ｂと反射面識別部１０３に伝達される。なお、ここでは、主走査始端側でミラー１４１を用いて光検出部１４５の検出を行っているが、必ずしもミラー１４１を用いる必要はない。
【００３８】
プリントヘッド１５０は、レーザダイオード１１０、光走査手段１２０、光学系１３０、光検出部１４５などから構成されて感光体に対してレーザビームの走査を行うもので、後述するカラー画像形成装置では各色に対応して設けられる。
【００３９】
記憶部１５１は、測定装置において予め測定されたポリゴンミラー１２１の反射面毎の主走査方向のドット位置ずれ量が記憶されている記憶手段である。なお、この記憶部１５１は、測定装置において情報が格納され、画像形成装置１００において情報が読み出されるもので、不揮発性のメモリのほか、バーコードなどの媒体であってもよい。
【００４０】
感光体１６０は、ポリゴンミラー１２１の回転により主走査方向に走査されるレーザビームの露光と、該主走査方向と直交する方向の副走査方向の光ビームとの相対移動とにより、画像データに応じた静電潜像が表面に形成され、この静電潜像が現像されてトナー像が形成される像担持体としての感光体である。なお、この静電潜像形成のための帯電、静電潜像形成の現像によるトナー像形成、トナー像の記録紙への転写、記録紙上のトナー像の定着、などは画像形成装置として一般的なものであるため、説明を省略している。
【００４１】
また、以上の制御部１０１は、発光駆動制御部１０１ａ、光走査駆動制御部１０１ｂ、画像処理部１０２、反射面識別部１０３、感光体駆動部１０５、を備えて構成されている。
【００４２】
ここで、発光駆動制御部１０１ａは、レーザダイオード１１０を発光駆動するための発光駆動信号を生成してレーザダイオード１１０に供給する駆動源であり、画像データに応じた発光駆動信号をレーザダイオード１１０に供給する。
【００４３】
光走査駆動制御部１０１ｂはポリゴンミラー１２１を所定回転数で回転駆動するためのポリゴン駆動信号を生成してポリゴンモータ１２２に供給する駆動信号生成部である。なお、この光走査駆動制御部１０１ｂは、複数色の画像形成を行う場合には、記憶部１５１に格納された各ポリゴンミラー１２１のドット位置ずれ量を参照して、複数色のポリゴンミラー１２１の面位相をずらした組合せにおいて、複数色間でのドット位置ずれ量である面間ドット位置ずれ量を算出し、該面間ドット位置ずれ量が最小となる面位相を保つように複数色のポリゴンミラー１２１を駆動制御するよう制御する。
【００４４】
画像処理部１０２は、画像データに画像形成に必要な各種の画像処理を施す画像処理手段であり、書き込みクロックに同期して必要なデータを発光駆動制御部１０１ａに出力する。
【００４５】
反射面識別部１０３は、面検知センサ１２５からの面検知信号と光検出部１４５からの検出結果とを受けて、ポリゴンミラー１２１の反射面の識別を行い、基準マーク１２０ｄから何番目の面であるかといった反射面識別結果を光走査駆動制御部１０１ｂに伝達する。
【００４６】
感光体駆動部１０５は、感光体１６０を所定回転数で副走査方向に回転させる副走査方向駆動手段である。なお、この感光体駆動部１０５は、光走査駆動制御部１０１ｂで決定された画像形成速度に応じた感光体回転数となるように感光体１６０を駆動する。
【００４７】
なお、画像形成装置１００が複数色の画像を重ね合わせてカラー画像を形成するカラー画像形成装置の場合には、図２および図３に示すように、プリントヘッド１５０Ｙ〜１５０Ｋと感光体１６０Ｙ〜１６０Ｋのように複数色に応じて複数配置し、制御部１０１を共通に構成する。なお、図２および図３は、イエローＹ，マゼンタＭ，シアンＣ，ブラックＫの４色で画像形成を行う場合を例示している。ここで、プリントヘッド１５０Ｙ〜１５０Ｋにより感光体１６０Ｙ〜１６０Ｋ上に形成された静電潜像は現像部１７０Ｙ〜１７０ＫによりＹＭＣＫ各色のトナー像に変換され、各色のトナー像は中間転写体１８０上で重ね合わされる。そして、給紙トレイＴからの記録紙に対して転写部１８５において中間転写体１８０上のトナー像が転写され、定着部１９０において記録紙上のトナー像が熱定着されて安定したカラー画像が形成される。なお、このような画像形成装置１００において、プリントヘッド１５０Ｙ〜１５０Ｋのそれぞれで、後述するように主走査長の特性を揃えた状態の光走査手段１２０が備えられている。
【００４８】
〔光走査手段の測定装置〕
以下、プリントヘッド１５０を測定する測定装置２００について図５を参照して説明する。
【００４９】
なお、以下の実施形態では測定装置２００による測定手順と呼ぶが、他の各種調整を行う調整装置によって測定を実行するようにしてもよい。
【００５０】
また、この測定装置２００については、プリントヘッド１５０が使用される画像形成装置１００と機械的または光学的に近似した特性になるように構成されている。そして、このように画像形成装置１００と機械的または光学的に近似した特性になるように構成されている測定装置２００に、プリントヘッド１５０が装着され得る状態に構成されている。
【００５１】
ここで、制御部２０１は、測定装置２００の各部を制御するためにＣＰＵや制御プログラムなどで構成されており、プリントヘッド１５０に含まれるポリゴンミラー１２１の反射面毎の主走査方向のドット位置ずれ量を求めるよう制御する。
【００５２】
終端側の光検出部２４５Ｅは、画像形成装置１００における感光体１６０の主走査位置の延長線上の主走査終端側と光学的に等価な位置において、光ビームを検出してＥＯＳ（End Of Scan）信号を得るためのＥＯＳセンサであり、検出結果は制御部２０１内の走査長測定部２０４に伝達される。なお、この光検出部２４５Ｅは、主走査終端側において主走査長を測定するため、複数受光素子のラインセンサ、または、マイクロステージなどの位置可変の単独受光素子のセンサのいずれかにより構成される。
【００５３】
また、以上の制御部２０１は、発光駆動制御部２０１ａ、光走査駆動制御部２０１ｂ、反射面識別部２０３、走査長測定部２０４、を備えて構成されている。
【００５４】
ここで、発光駆動制御部２０１ａは、レーザダイオード１１０を発光駆動するための発光駆動信号を生成してレーザダイオード１１０に供給する駆動源であり、ポリゴンミラー１２１の各面での主走査長の特性を求めるため、主走査方向の端部で発光するような発光駆動信号をレーザダイオード１１０に供給する。
【００５５】
光走査駆動制御部２０１ｂはポリゴンミラー１２１を画像形成装置１００と同等な所定回転数で回転駆動するためのポリゴン駆動信号を生成してポリゴンモータ１２２に供給する。
【００５６】
反射面識別部２０３は、面検知センサ１２５からの面検知信号と光検出部１４５からの検出結果とを受けて、ポリゴンミラー１２１の反射面の識別を行い、基準マーク１２０ｄから何番目の面であるかといった反射面識別結果を光走査駆動制御部２０１ｂに伝達する。
【００５７】
走査長測定部２０４は、主走査終端側における光検出部２４５Ｅによる検知結果を参照し、ポリゴンミラー１２１の各面でのレーザビームによる主走査長を測定し、測定結果を光走査駆動制御部２０１ｂに通知する。
【００５８】
〔測定手順〕
以下、プリントヘッド１５０を測定する手順（測定動作）について、図６のフローチャートを参照して説明を行う。
【００５９】
まず、画像形成装置１００におけるプリントヘッド１５０の装着位置と同じ位置になるように、プリントヘッド１５０を測定装置２００に装着する。
【００６０】
なお、この装着とは、機械的及び電気的に所定の設置や接続を行うことを意味する。また、プリントヘッド１５０を測定装置２００に装着した場合に、光検出部２４５Ｅが所定の主走査方向の端部位置に来るように、予め測定装置２００側で位置合わせなどが完了していることが望ましい。
【００６１】
そして、このようにプリントヘッド１５０を測定装置２００に装着した状態で、光走査駆動制御部２０１ｂの指示でポリゴンモータ１２２が所定の回転数で回転させる。
【００６２】
ここで、光検出部１４５の検出結果に基づいて同期信号が生成されると（図６中のステップＳ１０１）、光走査駆動制御部２０１ｂは反射面識別部２０３の検知結果を参照して、面番号が１になるまで面番号を監視する（図６中のステップＳ１０２）。
【００６３】
ここで、面番号が１になれば（図６中のステップＳ１０２でＹＥＳ）、発光駆動制御部２０１ａは、図７（ｄ）に示すような発光駆動信号を生成してレーザダイオード１１０に与える。この図７（ｄ）では、ポリゴンミラー１２１の第１面で始端と終端位置とでレーザダイオード１１０を発光させる。
【００６４】
この場合、図７のように第１面のみを何度か繰り返し発光させ他の面は非発光とすることで、光検出部２４５Ｅの検知結果から、走査長測定部２０４がポリゴンミラー１２１の第１面についての主走査長を正確に測定できる（図６中のステップＳ１０３）。ここで、光検出部２４５Ｅがラインセンサであれば、走査長測定部２０４は光検出部２４５Ｅの検知結果から主走査長を測定する。また、光検出部２４５Ｅがマクロステージによる移動を伴うものであれば、走査長測定部２０４はマイクロステージの移動量から主走査長を測定する。
【００６５】
以上のようにしてポリゴンミラー１２１の第１面についての主走査長の測定に続いて、ポリゴンミラー１２１の他の面についての主走査長の測定を行う（図６中のステップＳ１０４，Ｓ１０５でＮＯ，Ｓ１０３）。この場合も、図８のように、第２面のみを何度か繰り返し発光させ、他の面は非発光とすることで、光検出部２４５Ｅの検知結果から、走査長測定部２０４がポリゴンミラー１２１の第２面についての主走査長を正確に測定できる。そして、同様にして、ポリゴンミラー１２１の第３面、第４面、第５面、第６面と、主走査長の測定を繰り返す。
【００６６】
そして、ポリゴンミラー１２１の全ての面での主走査長の測定が完了したら（図６中のステップＳ１０５でＹＥＳ）、光走査駆動制御部２０１ｂは、ポリゴンミラー１２１の反射面毎の主走査方向長の特性として、設計基準値との誤差（主走査方向の終端でのドット位置ずれ）を算出して、プリントヘッド１５０のロット番号およびポリゴンミラー１２１の面番号と関連づけた状態（図９〜図１３参照）で、記憶部１５１に書き込む（図６中のステップＳ１０６）。
【００６７】
ここで、図９〜図１３は、ロット番号Ｎｏ．１〜Ｎｏ．５までの５つのプリントヘッド１５０について主走査長のドット位置ずれ量をポリゴンミラー１２１の各面毎に求めた特性の一例を示している。ここでは、規定の主走査長に対する誤差をppm単位で求めている。なお、＋側は規定の主走査長より長く、−側は規定の主走査長より短いことを意味している。
【００６８】
以上のようにして、ポリゴンミラー１２１の反射面毎の主走査方向長の特性として、設計基準値との誤差（主走査方向の終端でのドット位置ずれ）を記憶部１５１に書き込んだプリントヘッド１５０については、測定装置２００から取り外して、必要に応じて画像形成装置１００に装着する。
【００６９】
〔画像形成装置の通常動作〕
以下、本実施形態の画像形成装置１００の通常動作について説明を行う。ここでは、画像形成装置１００として、複数色の画像を重ね合わせてカラー画像を形成する画像形成装置１００を具体例にして説明する。ここで、画像形成装置１００には、以上のようにしてポリゴンミラー１２１の反射面毎の主走査方向長の特性として、設計基準値との誤差（主走査方向の終端でのドット位置ずれ）が、プリントヘッド１５０のロット番号およびポリゴンミラー１２１の面番号と関連づけた状態（図９〜図１３参照）で、記憶部１５１に書き込まれたプリントヘッド１５０が装着されている。
【００７０】
図１４は画像形成装置１００の画像形成時のフローチャートである。また、図１５は図１４の処理の詳細を示すサブルーチンのフローチャートである。
【００７１】
まず、光走査駆動制御部１０１ｂは、画像形成装置１００に装着されている複数のプリントヘッド１５０の各記憶部１５１からロット番号を読み出して、ロット番号の一致を確認する（図１４中のステップＳ２０１）。読み出されたロット番号が、光走査駆動制御部１０１ｂ内の記憶領域に存在するロット番号と完全に一致した場合には（図１４中のステップＳ２０１でＹＥＳ）、面間ドット位置ずれ量が最小となる面位相を過去に求めて光走査駆動制御部１０１ｂの記憶領域に保存してあるため、過去に求めた面位相を採用することにして（図１４中のステップＳ２０５）、処理を終了する。
【００７２】
また、画像形成装置１００に装着されている複数のプリントヘッド１５０の各記憶部１５１からロット番号を読み出して、ロット番号が完全に一致しない場合には（図１４中のステップＳ２０１でＮＯ）、光走査駆動制御部１０１ｂは、Ｙ色のドット位置ずれ量の特性（例えば、図９）を記憶部１５１から読み出す（図１６中のステップＳ２０２）。
【００７３】
そして、光走査駆動制御部１０１ｂは、Ｍ色のドット位置ずれ量の特性（例えば、図１０）を記憶部１５１から読み出して、Ｙ色のドット位置ずれ量の特性とＭ色のドット位置ずれ量の特性とを比較して、Ｙ色とＭ色の間で生じるドット位置ずれ量である面間ドット位置ずれ量を算出し、該面間ドット位置ずれ量が最小となる面位相を保つように、Ｙ色に対するＭ色の反射面位相を決定する（図１６中のステップＳ２０３ａ）。
【００７４】
また、光走査駆動制御部１０１ｂは、Ｃ色のドット位置ずれ量の特性（例えば、図１１）を記憶部１５１から読み出して、Ｙ色のドット位置ずれ量の特性とＣ色のドット位置ずれ量の特性とを比較して、Ｙ色とＣ色の間で生じるドット位置ずれ量である面間ドット位置ずれ量を算出し、該面間ドット位置ずれ量が最小となる面位相を保つように、Ｙ色に対するＣ色の反射面位相を決定する（図１６中のステップＳ２０３ｂ）。
【００７５】
そして、光走査駆動制御部１０１ｂは、Ｋ色のドット位置ずれ量の特性（例えば、図１２）を記憶部１５１から読み出して、Ｙ色のドット位置ずれ量の特性とＫ色のドット位置ずれ量の特性とを比較して、Ｙ色とＫ色の間で生じるドット位置ずれ量である面間ドット位置ずれ量を算出し、該面間ドット位置ずれ量が最小となる面位相を保つように、Ｙ色に対するＫ色の反射面位相を決定する（図１６中のステップＳ２０３ｃ）。
【００７６】
そして、光走査駆動制御部１０１ｂは、ＹＭＣＫ全ての色のプリントヘッド１５０のロット番号と、決定された各色の反射面位相とを、光走査駆動制御部１０１ｂ内の記憶領域に格納する（図１４中のステップＳ２０４）。
【００７７】
なお、Ｙ色とＭ色、Ｙ色とＣ色、Ｙ色とＫ色の間でロット番号が等しい場合には、プリントヘッド１５０が同一特性であるため、ポリゴンミラー１２１の面位相は第１面と第１面とを一致させればよい。
【００７８】
次に、図１５を参照して、Ｙ色とＭ色、Ｙ色とＣ色、Ｙ色とＫ色とのポリゴンミラー１２１の面位相の決定について説明する。
【００７９】
まず、光走査駆動制御部１０１ｂは、ステップＳ２０３ａ〜ｃの該当色であるＭ色，Ｃ色，Ｋ色のいずれかについて、ドット位置ずれ量の特性を記憶部１５１から読み出す（図１６中のステップＳ３０１）。ここで、後述する処理のため、先頭ミラー面番号を０に初期化する（図１６中のステップＳ３０２）。
【００８０】
そして、光走査駆動制御部１０１ｂは、先頭ミラー面番号に１を加算して（図１６中のステップＳ３０３）、Ｙ色の第１面〜第６面のドット位置ずれ量と、該当色の第１面〜第６面のドット位置ずれ量との間で、面間ドット位置ずれ量の二乗和を求める（図１６中のステップＳ３０４）。
【００８１】
ここで、Ｙ色の第１面〜第６面のドット位置ずれ量をY1〜Y6、Ｍ色の第１面〜第６面のドット位置ずれ量をM1〜M6、とした場合、「^2」を二乗の記号とすると、先頭ミラー面番号を１とした該当色Ｍについての二乗和YM1は、以下のようになる。
YM1=(Y1-M1)^2+(Y2-M2)^2+(Y3-M3)^2+(Y4-M4)^2+(Y5-M5)^2+(Y6-M6)^2，
同様にして、光走査駆動制御部１０１ｂは、先頭ミラー面番号が最終面になるまで、先頭ミラー面番号に１を加算して（図１６中のステップＳ３０３）、面間ドット位置ずれ量の二乗和を求める（図１６中のステップＳ３０４）。
【００８２】
すなわち、
Ｙ色を基準として先頭ミラー面番号を２とした該当色Ｍについての二乗和YM2、
YM2=(Y1-M2)^2+(Y2-M3)^2+(Y3-M4)^2+(Y4-M5)^2+(Y5-M6)^2+(Y6-M1)^2，
Ｙ色を基準として先頭ミラー面番号を３とした該当色Ｍについての二乗和YM3、
YM3=(Y1-M3)^2+(Y2-M4)^2+(Y3-M5)^2+(Y4-M6)^2+(Y5-M1)^2+(Y6-M2)^2，
Ｙ色を基準として先頭ミラー面番号を４とした該当色Ｍについての二乗和YM4、
YM4=(Y1-M4)^2+(Y2-M5)^2+(Y3-M6)^2+(Y4-M1)^2+(Y5-M2)^2+(Y6-M3)^2，
Ｙ色を基準として先頭ミラー面番号を５とした該当色Ｍについての二乗和YM5、
YM5=(Y1-M5)^2+(Y2-M6)^2+(Y3-M1)^2+(Y4-M2)^2+(Y5-M3)^2+(Y6-M4)^2，
Ｙ色を基準として先頭ミラー面番号を６とした該当色Ｍについての二乗和YM6、
YM6=(Y1-M6)^2+(Y2-M1)^2+(Y3-M2)^2+(Y4-M3)^2+(Y5-M4)^2+(Y6-M5)^2，
をそれぞれ求める。
【００８３】
すなわち、このような計算が、請求項における、複数色の回転多面鏡の面位相をずらした組合せにおいて、複数色間でのドット位置ずれ量である面間ドット位置ずれ量を算出することに該当する。
【００８４】
そして、以上のようにして、最終面まで計算を繰り返しつつ面間ドット位置ずれ量の二乗和を求め、この面間ドット位置ずれ量が最小となる面位相を求める（図１５中のステップＳ３０５，Ｓ３０６）。
【００８５】
ここで、Ｙ色についてロット番号Ｎｏ．１（図９参照）、Ｍ色についてロット番号Ｎｏ．２（図１０参照）のプリントヘッド１５０を用いた場合の以上の二乗和の計算結果は、図１６に示すようになる。この場合には、Ｙ色のポリゴンミラー１２１の第１面とＭ色のポリゴンミラー１２１の第１面とを一致させた場合に、二乗和が２７と最小値になる。
【００８６】
また、同様にして、Ｙ色とＣ色の二乗和YC1,YC2,YC3,YC4,YC5,YC6を求める。ここで、Ｙ色についてロット番号Ｎｏ．１（図９参照）、Ｃ色についてロット番号Ｎｏ．３（図１１参照）のプリントヘッド１５０を用いた場合の以上の二乗和の計算結果は、図１７に示すようになる。この場合には、Ｙ色のポリゴンミラー１２１の第１面とＣ色のポリゴンミラー１２１の第２面とを一致させた場合に、二乗和が４３と最小値になる。
【００８７】
また、同様にして、Ｙ色とＫ色の二乗和YK1,YK2,YK3,YK4,YK5,YK6を求める。ここで、Ｙ色についてロット番号Ｎｏ．１（図９参照）、Ｋ色についてロット番号Ｎｏ．４（図１２参照）のプリントヘッド１５０を用いた場合の以上の二乗和の計算結果は、図１８に示すようになる。この場合には、Ｙ色のポリゴンミラー１２１の第１面とＫ色のポリゴンミラー１２１の第５面とを一致させた場合に、二乗和が２９と最小値になる。
【００８８】
以上のように、光走査駆動制御部１０１ｂは、各色のプリントヘッド１５０のポリゴンミラー１２１の面位相を決定して、その決定された面位相を維持するように画像形成時に制御を行う。
【００８９】
以上のようにして面位相を決定した場合について、本実施形態の効果を検証してみる。
【００９０】
図１９は、面位相の制御を行わず、各色の第１面同士を一致させた状態についての、Ｙ色（ロット番号Ｎｏ．１）、Ｍ色（ロット番号Ｎｏ．２）、Ｃ色（ロット番号Ｎｏ．３）、Ｋ色（ロット番号Ｎｏ．４）、の各ドット位置ずれ量と、２面間の最大ずれ量の特性を示している。この場合、面間最大ずれ量は５８ppmとなっている。
【００９１】
一方、図２０は、本実施形態の面位相の制御を行う場合であり、Ｙ色第１面・Ｍ色第１面・Ｃ色第２面・Ｋ色第５面を一致させる状態に制御した場合についての、Ｙ色（ロット番号Ｎｏ．１）、Ｍ色（ロット番号Ｎｏ．２）、Ｃ色（ロット番号Ｎｏ．３）、Ｋ色（ロット番号Ｎｏ．４）、の各ドット位置ずれ量と、２面間の最大ずれ量の特性を示している。この場合、面間最大ずれ量は５ppmとなっており、従来の１／１０の誤差に抑えることができた。
【００９２】
この結果、同一画素の各色ドット間は揃った間隔になり、周期的な粗密による色ずれは極めて小さくなる。また、本実施形態によれば、画像形成装置１００側にＥＯＳ信号を生成する終端側の光検出器は不要であり、また、ポリゴンミラー１２１の反射面毎にドットクロックを調整するような制御も不要でありながら色ずれによる画質劣化を防止できるという効果が得られる。
【００９３】
また、Ｙ色についてロット番号Ｎｏ．１（図９参照）、Ｋ色についてロット番号Ｎｏ．５（図１３参照）のプリントヘッド１５０を用いた場合の以上の二乗和の計算結果は、図２１に示すようになる。この場合には、Ｙ色のポリゴンミラー１２１の第１面とＫ色のポリゴンミラー１２１の第２面とを一致させた場合に、二乗和が９４６と最小値になる。
【００９４】
以上のようにして面位相を決定した場合について、本実施形態の効果を検証してみる。
【００９５】
図２２は、面位相の制御を行わず、各色の第１面同士を一致させた状態についての、Ｙ色（ロット番号Ｎｏ．１）、Ｍ色（ロット番号Ｎｏ．２）、Ｃ色（ロット番号Ｎｏ．３）、Ｋ色（ロット番号Ｎｏ．５）、の各ドット位置ずれ量と、２面間の最大ずれ量の特性を示している。この場合、面間最大ずれ量は５５ppmとなっている。
【００９６】
一方、図２４は、本実施形態の面位相の制御を行う場合であり、Ｙ色第１面・Ｍ色第１面・Ｃ色第２面・Ｋ色第２面を一致させる状態に制御した場合についての、Ｙ色（ロット番号Ｎｏ．１）、Ｍ色（ロット番号Ｎｏ．２）、Ｃ色（ロット番号Ｎｏ．３）、Ｋ色（ロット番号Ｎｏ．４）、の各ドット位置ずれ量と、２面間の最大ずれ量の特性を示している。この場合、面間最大ずれ量は２５ppmとなっており、従来の１／２の誤差に抑えることができる。この結果、同一画素の各色ドット間は揃った間隔になり、周期的な粗密による色ずれは極めて小さくなる。
【００９７】
すなわち、元になるドット位置ずれ量の特性や各色の組み合わせによって効果の程度は異なるものの、本実施形態によると、色ずれを抑える効果が有効であることが確認できた。
【００９８】
また、プリントヘッド１５０内の記憶部１５１に必要な情報を備え手入れば、プリントヘッド１５０を交換した場合であっても、画像形成装置側では特別な構成を備えることなく以上の処理により色ずれを解消するように対処することが可能である。
【００９９】
〈その他の実施形態（１）〉
以上の実施形態では、レーザビームの走査を用いた電子写真方式の画像形成装置について説明してきたが、これに限定されるものではない。たとえば、レーザビームの走査を用いて印画紙に露光を行うレーザイメージャなど、各種の画像形成装置に本発明の各実施形態を適用することが可能であり、良好な結果を得ることが可能である。
【０１００】
〈その他の実施形態（２）〉
以上の実施形態では、感光体１６０として感光体ドラムを具体例に用いたが、感光体１６０はドラム形式に限定されるものではなく、ベルトであってもよい。また、レーザビームと感光体１６０とは、感光体１６０の副走査方向への回転だけでなく、副走査方向に感光体１６０とレーザビームとを相対的に移動させる各種の副走査の手法を適用することができる。
【符号の説明】
【０１０１】
１００  画像形成装置
１０１  制御部
１０１ａ  発光駆動制御部
１０１ｂ  光走査駆動制御部
１０３  反射面識別部
１１０  レーザダイオード
１２０  光走査手段
１２１  ポリゴンミラー
１２２  ポリゴンモータ
１２５  面検知センサ
１３０  光学系
１４５  光検出部（ＳＯＳセンサ）
１５０  プリントヘッド
１６０  感光体
【図１】
0005708224.tif 000002
【図２】
0005708224.tif 000003
【図３】
0005708224.tif 000004
【図４】
0005708224.tif 000005
【図５】
0005708224.tif 000006
【図６】
0005708224.tif 000007
【図７】
0005708224.tif 000008
【図８】
0005708224.tif 000009
【図９】
0005708224.tif 000010
【図１０】
0005708224.tif 000011
【図１１】
0005708224.tif 000012
【図１２】
0005708224.tif 000013
【図１３】
0005708224.tif 000014
【図１４】
0005708224.tif 000015
【図１５】
0005708224.tif 000016
【図１６】
0005708224.tif 000017
【図１７】
0005708224.tif 000018
【図１８】
0005708224.tif 000019
【図１９】
0005708224.tif 000020
【図２０】
0005708224.tif 000021
【図２１】
0005708224.tif 000022
【図２２】
0005708224.tif 000023
【図２３】
0005708224.tif 000024
【図２４】
0005708224.tif 000025
【図２５】
0005708224.tif 000026